(57)【要約】【課題】上辺シール部での開封が容易な包装袋の提供。【解決手段】表面部２と裏面部３と、表面部の底辺部と裏面部の底辺部とを互いに結合する底面シール部６と、表面部の上辺部と裏面部の上辺部とを互いに結合する上辺シール部７と、背面合掌シール部８を有する包装袋１である。表面部側において、背面合掌シール部の位置に対応して上辺から底辺の間に延びる折合わせ部９が設けられ、折り合わせ部９の上辺部７に対応する箇所はヒートシールされて表面側つまみ部１０が提供される。背面合掌シール部の上端部は裏面側つまみ部をなし、両つまみ部を摘んで反対方向に引っ張ると、上辺シール部が簡単に開口する。【選択図】  図１
2004250051.tif 000002
【特許請求の範囲】
【請求項１】
表面部と裏面部と、該表面部の底辺部と該裏面部の底辺部とを互いに結合する底面シール部と、該表面部の上辺部と該裏面部の上辺部とを互いに結合する上辺シール部とを有する包装袋において、
該表面部側の上辺シール部には、該表面部と一体の表面側つまみ部が該上辺シール部から突出して設けられ、該裏面部側の該表面側つまみ部と対向する位置には、該裏面部と一体の裏面側つまみ部が該上辺シール部からかつ該表面側つまみ部とは反対方向に突出して設けられていることを特徴とする包装袋。
【請求項２】
該表面部には該上辺と該底辺間に延びる折り合わせ部が設けられ、該折り合わせ部の上辺シール部に対応する箇所が互いにシールされて該表面側つまみ部をなすことを特徴とする請求項１記載の包装袋。
【請求項３】
該裏面部の袋体幅方向の略中央位置には、該上辺と該底辺間に延びる合掌シール部が設けられ、該合掌シール部の上部が該裏面側つまみ部をなすことを特徴とする請求項２記載の包装袋。
【請求項４】
該裏面部には該上辺と該底辺間に延びる折り合わせ部が設けられ、該折り合わせ部の上辺シール部に対応する箇所が互いにシールされて該裏面側つまみ部をなすことを特徴とする請求項２記載の包装袋。
【発明の詳細な説明】
【０００１】
【発明の属する技術分野】
本発明は包装袋に関し、特に開封容易な包装袋に関する。
【０００２】
【従来の技術】
従来の包装袋は合成樹脂製フィルムよりなる略四角形状の表面部と、表面部と同形の裏面部とを有し、表面部と裏面部とは折曲げ線にて区画され、裏面部の対向する縁辺同士をシールして背面合掌シール部として筒状とし、表面部の底辺部と裏面部の底辺部とを互いにシールして底辺シール部とし、表面部の上辺部と裏面部の上辺部とを互いにシールして上辺シール部として、内容物を封入していた。
【０００３】
【発明が解決しようとする課題】
しかし、従来の包装袋では、表面部と裏面部の上辺シール部間を互いに離間させる方向に引っ張って開封するのに手間取っていた。裏面側については、背面合掌シール部を摘みの手がかりにしていたが、表面側については何ら突出物がなく、表面部の適当な領域を寄せ集めるようにして摘んで、背面合掌シール部とは反対方向に引っ張っていた。この開封方法であると、合成樹脂製フィルムが柔軟性に乏しい材料である場合に、特に非力な高齢者や子供にとっては開封が困難であった。
【０００４】
そこで本発明は、上辺シール部での開封が容易な包装袋を提供することを目的とする。
【０００５】
【課題を解決するための手段】
上記目的を達成するために、本発明は、表面部と裏面部と、該表面部の底辺部と該裏面部の底辺部とを互いに結合する底面シール部と、該表面部の上辺部と該裏面部の上辺部とを互いに結合する上辺シール部とを有する包装袋において、該表面部側には、該表面部と一体の表面側つまみ部が該上辺シール部から突出して設けられ、該裏面部側の該表面側つまみ部と対向する位置には、該裏面部と一体の裏面側つまみ部が該上辺シール部からかつ該表面側つまみ部とは反対方向に突出して設けられている包装袋を提供している。
【０００６】
ここで、該表面部には該上辺と該底辺間に延びる折り合わせ部が設けられ、該折り合わせ部の上辺シール部に対応する箇所が互いにシールされて該表面側つまみ部をなす構成であるのが好ましい。また、該裏面部の袋体幅方向の略中央位置には、該上辺と該底辺間に延びる合掌シール部が設けられ、該合掌シール部の上部が該裏面側つまみ部をなす構成であるのが好ましい。  または、該裏面部にも該上辺と該底辺間に延びる折り合わせ部が設けられ、該折り合わせ部の上辺シール部に対応する箇所が互いにシールされて該裏面側つまみ部をなす構成であるのが好ましい。
【０００７】
【発明の実施の形態】
本発明の実施の形態による包装袋について図１、図２に基づき説明する。包装袋１は四角形状をなす表面部２と裏面部３とをなし、表面部２と裏面部３とは折れ線４、５により区画され、包装袋１の長辺となる。表面部２の底辺部と裏面部の底辺部とは互いにヒートシールされて底辺シール部６をなし、表面部２の上辺部と裏面部３の上辺部とは互いにヒートシールされて上辺シール部７をなす。そして裏面部の袋体幅方向の略中央位置には、上辺と底辺間にわたりヒートシールされる合掌ヒートシール部８が設けられる。かかる構成は従来の包装袋と同様である。この合掌ヒートシール部８の上辺シール部７側の端部が裏側つまみ部を構成する。
【０００８】
本実施の形態においては、表面部２側の上辺シール部７と底辺シール部６間にわたり、袋体幅方向の略中央位置、即ち背面合掌シール部８に対向する位置において折合わせ部９が設けられる。この折り合わせ部９は、表面部の中央領域を折れ線９ａ、９ｂ、９ｃによりヘアピン状に折り曲げて突出させたものである。よって表面部２は折り合わせ部９の領域だけ裏面部３の面積よりも大きい。そして折り合わせ部９の上辺シール部７に対応する箇所が互いにヒートシールされて表面側つまみ部１０をなす。また内容物を充填したとき折り合わせ部９の表面側つまみ部以外の部分が平坦に変形して、袋体の容積を増加させることができる。  本実施の形態に用いられる袋体は公知の合成樹脂フィルム材料により構成される。例えば厚さ３０〜５０ミクロンの未延伸又は延伸ポリプロピレンである。
【０００９】
かかる構成において、右指で表面側つまみ部１０を摘み左指で裏面側つまみ部８を摘んで互いに反対方向に引っ張ることにより、上辺シール部７における表面上辺と裏面上辺とが離間して、袋体１が開口し内容物を確実に取出すことができる。
【００１０】
本発明による包装袋は上述した実施の形態に限定されず、特許請求の範囲に記載した範囲で種々の変形や改良が可能である。例えば、背面合掌シール部に変えて、裏面部側も表面部と同様に折り合わせ部を形成して上辺シール部７に対応する箇所を互いにヒートシールして裏面側つまみ部を構成してもよい。このとき、袋体の長辺部４、５を互いにヒートシールする構成（４方シール）としてもよい。かかる構成とすれば、表面部と裏面部共に折り合わせ部が設けられているので、内容物の充填容積をより一層高めることができる。また上述した実施の形態において、表面部の折り合わせ部に代えて、裏面部の背面合掌シール部と同様に、表面側合掌シール部を設けてもよい。また、シール部はヒートシールに限らず糊付けであってもよい。更に上述した実施の形態では表面側つまみ部と裏面側つまみ部は、上辺シール部の袋体幅方向の略中央位置に設けられているが、中央位置に限定されず、幅方向の中央からずれた位置において、互いに対向するように設けてもよい。
【００１１】
【発明の効果】
請求項１記載の包装袋によれば、表面部側の上辺シール部に、表面部と一体の表面側つまみ部が上辺シール部から突出して設けられ、裏面部側の上辺シール部の表面側つまみ部と対向する位置に、裏面部と一体の裏面側つまみ部を上辺シール部からかつ表面側つまみ部とは反対方向に突出して設けられているので、例えば右指で表面側つまみ部を摘み左指で裏面側つまみ部を摘んで互いに反対方向に引っ張ることができ、すると、上辺シール部における表面上辺と裏面上辺とが離間して袋体が開口し、内容物を容易かつ確実に取出すことができる。袋体の両面側につまみ部があるので、非力な高齢者や児童にとっても開封が容易となる。
【００１２】
請求項２記載の包装袋によれば、表面部には上辺と底辺間に延びる折り合わせ部が設けられ、折り合わせ部の上辺シール部に対応する箇所が互いにシールされて表面側つまみ部をなしている構成であるので、表面側つまみ部が簡単に提供できる。また折り合わせ部は、その折り曲げが解除されて平坦化したとき、包装袋の容積を増加させることができる。
【００１３】
請求項３記載の包装袋によれば、裏面部の袋体幅方向の略中央位置には、上辺と底辺間に延びる合掌シール部が設けられ、合掌シール部の上部が該裏側つまみ部をなす構成であるので、従来の袋体の製造過程で得られる合掌シール部を利用して裏側つまみ部を提供できる。
【００１４】
請求項４記載の包装袋によれば、裏面部にも表面部と同様な折り合わせ部が設けられているので、裏面側つまみ部が簡単に提供でき、また包装袋の容積を更に増加させることができる。
【図面の簡単な説明】
【図１】本発明の実施の形態による包装袋を示す説明図。
【図２】本発明の実施の形態による包装袋の上辺シール部を示す断面図。
【符号の説明】
１  包装袋
２  表面部
３  裏面部
７  上辺シール部
８  背面合掌シール部
９  折り合わせ部
１０  表面側つまみ部
【図１】
2004250051.tif 000003
【図２】
2004250051.tif 000004
【手続補正書】
【提出日】平成15年3月10日(2003.3.10)
【手続補正１】
【補正対象書類名】明細書
【補正対象項目名】特許請求の範囲
【補正方法】変更
【補正の内容】
【特許請求の範囲】
【請求項１】
表面部と裏面部とを有し、該表面部の上辺部と該裏面部の上辺部とを互いに結合する上辺シール部とを有する包装袋において、
該表面部側の上辺シール部には、該表面部と一体の表面側つまみ部が該上辺シール部から突出して設けられ、該裏面部側の該表面側つまみ部と対向する位置には、該裏面部と一体の裏面側つまみ部が該上辺シール部からかつ該表面側つまみ部とは反対方向に突出して設けられていることを特徴とする包装袋。
【請求項２】
該表面部には上辺と底辺間に延びる折り合わせ部が設けられ、該折り合わせ部の上辺シール部に対応する箇所が互いにシールされて該表面側つまみ部をなすことを特徴とする請求項１記載の包装袋。
【請求項３】
該裏面部の袋体幅方向の略中央位置には、上辺と底辺間に延びる合掌シール部が設けられ、該合掌シール部の上部が該裏面側つまみ部をなすことを特徴とする請求項２記載の包装袋。
【請求項４】
該裏面部には上辺と底辺間に延びる折り合わせ部が設けられ、該折り合わせ部の上辺シール部に対応する箇所が互いにシールされて該裏面側つまみ部をなすことを特徴とする請求項２記載の包装袋。
【手続補正２】
【補正対象書類名】明細書
【補正対象項目名】０００５
【補正方法】変更
【補正の内容】
【０００５】
【課題を解決するための手段】
上記目的を達成するために本発明は、表面部と裏面部とを有し、該表面部の上辺部と該裏面部の上辺部とを互いに結合する上辺シール部とを有する包装袋において、該表面部側の上辺シール部には、該表面部と一体の表面側つまみ部が該上辺シール部から突出して設けられ、該裏面部側の該表面側つまみ部と対向する位置には、該裏面部と一体の裏面側つまみ部が該上辺シール部からかつ該表面側つまみ部とは反対方向に突出して設けられている包装袋を提供している。


【手続補正３】
【補正対象書類名】明細書
【補正対象項目名】０００６
【補正方法】変更
【補正の内容】
【０００６】
ここで、該表面部には上辺と底辺間に延びる折り合わせ部が設けられ、該折り合わせ部の上辺シール部に対応する箇所が互いにシールされて該表面側つまみ部をなす構成であるのが好ましい。また、該裏面部の袋体幅方向の略中央位置には、上辺と底辺間に延びる合掌シール部が設けられ、該合掌シール部の上部が該裏面側つまみ部をなす構成であるのが好ましい。または、該裏面部にも上辺と底辺間に延びる折り合わせ部が設けられ、該折り合わせ部の上辺シール部に対応する箇所が互いにシールされて該裏面側つまみ部をなす構成であるのが好ましい。